(57)【特許請求の範囲】
【請求項１】
内周部にリードインエリアがあり、その外側にプログラムエリアがある複数のディスクを収納してディスク切替えを可能としたディスクチェンジャと、
このディスクチェンジャ内の任意の一枚のディスクを選択して再生する再生制御手段と、
前記ディスクチェンジャ内の複数のディスクを順次選択して各ディスクの一部のみを次々に再生するディスクスキャン制御手段とを有し、
前記ディスクスキャン制御手段は、光ピックアップをディスクの内周方向に移動させ、最内周を検出したら、リードインエリアを読み込むことなく前記光ピックアップを外周方向にディスクの第１曲目の先頭付近に相当する位置まで移動させ、該位置からディスクの再生を行う
ことを特徴とするディスク再生装置。
【請求項２】
前記ディスクスキャン制御手段における光ピックアップの移動は、ディスクのロード時間を利用して行う
ことを特徴とする請求項１記載のディスク再生装置。
【請求項３】
前記ディスクスキャン制御手段におけるディスクの再生は、通常の再生より高速で行う
ことを特徴とする請求項１又は２記載のディスク再生装置。
【発明の詳細な説明】
【０００１】
【産業上の利用分野】
この発明は、複数のディスクを収納してそのうちの一枚を選択して再生するディスクチェンジャ付の再生装置に関する。
【０００２】
【従来の技術】
コンパクトディスク（ＣＤ）プレーヤとして、複数のディスクをセットすることができ、かつそのうちの一枚を選択して再生できるいわゆる連奏ディスクプレーヤがある。この様な連奏ディスクプレーヤにおいては、ディスクチェンジャ内にどの様なディスクがどの様な順序で収納されているかが分かると、使用上便利である。即ちユーザーにとっては、ディスクチェンジャ内に収納されているディスクのタイトル，ジャンル，アーティストの紹介が簡単な操作でなされると非常に望ましい。一枚のディスクのみ再生できるプレーヤでは、そのディスク内の曲毎の導入部再生を行う技術は既に知られている。しかし、連奏ディスクプレーヤで収納されているディスクの内容を判別可能としたものはこれまで知られていない。
【０００３】
【発明が解決しようとする課題】
以上のように従来、連奏ディスクプレーヤにおいて、収納されているディスクの内容を判別可能としたものはない。
この発明は上記した点に鑑みてなされたもので、収納ディスクの内容を短時間で判別可能としたディスクチェンジャ付きのディスク再生装置を提供することを目的とする。
【０００４】
【課題を解決するための手段】
この発明に係るディスク再生装置は、内周部にリードインエリアがあり、その外側にプログラムエリアがある複数のディスクを収納してディスク切替えを可能としたディスクチェンジャと、このディスクチェンジャ内の任意の一枚のディスクを選択して再生する再生制御手段と、前記ディスクチェンジャ内の複数のディスクを順次選択して各ディスクの一部のみを次々に再生するディスクスキャン制御手段とを有し、前記ディスクスキャン制御手段は、光ピックアップをディスクの内周方向に移動させ、最内周を検出したら、リードインエリアを読み込むことなく前記光ピックアップを外周方向にディスクの第１曲目の先頭付近に相当する位置まで移動させ、該位置からディスクの再生を行うことを特徴としている。ディスクスキャン制御手段における光ピックアップの移動は、ディスクのロード時間を利用して行うことが望ましい。また、ディスクスキャン制御手段におけるディスクの再生は、通常の再生より高速で行うことが、イントロ再生の時間短縮のために望ましい。
【０００５】
【作用】
この発明によれば、ディスクスキャンモードを選択することにより、ディスクチェンジャ内に収納されているディスクが何であり、どこにあるかが素早く分かり、使い勝手のよい連奏ディスクプレーヤが得られる。
【０００６】
【実施例】
以下、図面を参照しながら本発明の実施例を説明する。
図１は、本発明の一実施例に係る連奏ＣＤプレーヤシステムである。ディスクチェンジャ１は、複数枚のディスク１１１  ，１１２  ，１１Ｎ  を収納して、その中の一枚を選択できるようになっている。ピックアップ部は、光ヘッド２、これを駆動するスピンドルモータ３、スレッド４、スレッド送りモータ５等により構成されている。出力コントロール回路６は、光ヘッド２のレーザ光出力を一定に保つためのものである。
光ピックアップ部の制御は、スピンドルサーボ回路８、フォーカスおよびトラッキングサーボ回路９、スレッド駆動回路１０等により行われる。
【０００７】
光ヘッド２の出力は、ＲＦアンプ７により増幅され、デモジュレータ１３に送られる。ＲＦアンプ７の出力はまたＲＦＰＬＬ回路１２に送られてここでチャネルビットデータからクロック再生が行われ、デモジュレータ１３ではこの読出しクロックを用いて、同期パターン検出、ＥＦＭコードの逆変換、サブコード分離等が行われる。
ＣＤのフレームフォーマットは、図３のようになっており、図示のようにサブコードと呼ばれる１バイトの付加情報があり、その各ビットは、Ｐ，Ｑ，Ｒ，…，Ｗとして処理されるようになっている。これらのうち、Ｑコードが時間情報，エンファシスの有無、データの種類（音楽か他のデータか）等の情報が書かれているものである。デモジュレータ１３で分離されたＱコードは、システム制御を行うＣＰＵ１９に送られるようになっている。
【０００８】
デモジュレータ１３から得られる音声データおよび冗長ビットデータは、ＲＡＭ／ＥＣＣコントロール回路１４に送られ、ＲＡＭ１５およびＥＣＣ回路１６との間で誤りデータの検出，訂正，補間や、ジッタの吸収，デインタリーブ等がなされる。そして得られた音声データはＤ／Ａコンバータ１７に送られてアナログデータに変換され、オーディオ回路１８においてフィルタリングやミューティングがなされてオーディオ信号が出力される。
スイッチパネル２０はＣＰＵ１９に各種制御信号を送るスイッチ（キー）が配列されており、その一つにディスクスキャンモードを選択するイントロスキャンキー２１がある。
【０００９】
この様な構成として、イントロスキャンキー２１を押すと、ディスクチェンジャ１内の各ディスクが順次選択されてイントロスキャンがなされる。そのときの具体的な制御動作を図２のフローを参照して次に説明する。
イントロスキャンキー２１が押され、これが検出されると（Ｓ１）、ディスク番号ｎがリセットされ（Ｓ２）、次いでディスク番号１がセットされる（Ｓ３）。そして、１番目のトレーにディスクがセットされるていることが検出されると（Ｓ４）、ディスクチェンジャ１から１番目のディスクが選択されてロードが開始される（Ｓ５）。
【００１０】
ディスクのロードの時間を利用して、光ピックアップを内周方向に移動させ（Ｓ６）、最内周にきてリミットスイッチを検出したら（Ｓ７）、ピックアップを外周方向に一定時間移動させる（Ｓ８）。ディスクは図４に示すように内周部にＴＯＣ情報を記録したリードインエリアがあり、その外側にプログラムエリアがある。この実施例では例えば、リードインエリアを越えて第１曲目の頭付近までピックアップを移動させる。但し、実際には１曲目の０分０秒から音楽信号が入っていることは希なので、頭から数秒後が妥当である。
【００１１】
そして、ディスクモータを回転させ（Ｓ９）、フォーカス制御（Ｓ１０）、トラッキング制御（Ｓ１１）を行い、サブコードの中のＱコードが正しく読めたら（Ｓ１２，Ｓ１３）、インターリーブ時間待った後に（Ｓ１４）、音出しを行う（Ｓ１５）。このときの再生時間は例えば数秒間とする。なおインターリーブ時間とは、ＣＩＲＣによる誤り訂正で分散されたデータを正常に解読できるようになるまでの時間である。
またこの時のイントロ再生は通常の再生より高速で、例えば倍速再生とすることが好ましい。倍速で再生すると、短時間で多くのフレーズを聴くことができるので、ディスク判別時間は短縮できる。但しそのディスクを聞き慣れていない場合等にはディスクの判別が難しいこともあるから、これを考慮して適度の再生速度を設定することが望ましい。
【００１２】
以上のイントロ再生の間に、プレイ，ポーズ，ストップ等のキーが押されたら（Ｓ１６）、ＴＯＣを読みに行き（Ｓ１９）、その後にプレイ，ポーズ，ストップ等の動作を行う（Ｓ２０）。
プレイ，ポーズ，ストップ等のキーが押されない場合には、所定時間の経過を判別し（Ｓ１７）、ｎがディスク枚数Ｎになったか否かを判別して（Ｓ１８）、残り枚数がある場合には次のディスク２に移動する。そしてディスク２のロードに要する時間を利用してピックアップを１曲目の頭付近に移動させ、上記と同様にしてイントロ再生を行う。
以下、同様の動作を繰り返す。イントロ再生中にディスクキーが押された場合には、そのディスクに移動して、ＴＯＣ情報を読み込んだ後、通常の再生が行われる。
【００１３】
【発明の効果】
以上のようにこの発明によれば、ディスクスキャンモードを選択することにより、ディスクチェンジャ内に収納されているディスクが何であり、どこにあるかが素早く分かり、使い勝手のよい連奏ディスク再生装置が得られる。
【図面の簡単な説明】
【図１】本発明の一実施例に係るＣＤプレーヤのシステム構成を示す図である。
【図２】同実施例のイントロスキャンモードの動作フローである。
【図３】ＣＤのフレーム構成を示す図である。
【図４】ＣＤ内のデータ記録の様子を示す図である。
【符号の説明】
１…ディスクチェンジャ、１１１  ，１１２  ，…，１１Ｎ  …ディスク、２…光ヘッド、３…スピンドルモータ、４…スレッド、５…スレッド送りモータ、６…光出力コントロール回路、７…ＲＦアンプ、８…スピンドルサーボ回路、９…フォーカス／トラッキングサーボ回路、１０…スレッド駆動回路、１２…ＰＬＬ回路、１３…デモジュレータ、１４…ＲＡＭ／ＥＣＣコントロール回路、１５…ＲＡＭ、１６…ＥＣＣ回路、１７…Ｄ／Ａコンバータ、１８…オーディオ回路、１９…ＣＰＵ、２０…スイッチパネル、２１…イントロスキャンキー。
【図１】
0003561924.tif 000002
【図２】
0003561924.tif 000003
【図３】
0003561924.tif 000004
【図４】
0003561924.tif 000005